(57)【要約】【課題】トランスの容量を小さくした場合でも、負荷回路に安定的に電気を供給できる電子機器を提供する。【解決手段】スイッチング回路を発振させてトランスに電気を発生させる電源回路と、前記電源回路から供給された電気で行う動作を制御する制御回路と、を備えた電子機器に関するものである。制御回路は、動作に応じた動作信号を電源回路に送信し、電源回路は受信した動作信号に応じてスイッチング回路の発信周波数を変更して制御回路に供給可能な電流の量を変更する。【選択図】図２
2016036204.tif 000002
【特許請求の範囲】
【請求項１】
スイッチング回路を発振させてトランスに電気を発生させる電源回路と、
前記電源回路から供給された電気で行う動作を制御する制御回路と、を備えた電子機器であって、
前記制御回路は、動作に応じた動作信号を前記電源回路に送信し、
前記電源回路は受信した前記動作信号に応じて前記スイッチング回路の発信周波数を変更して前記制御回路に供給可能な電流の量を変更する、ことを特徴とする電子機器。
【請求項２】
前記制御回路は、プリンターの印刷動作を制御し、前記印刷動作の開始に応じたタイミングで前記動作信号を送信し、
前記電源回路は、受信した前記動作信号に応じて前記スイッチング回路の発信周波数を高めて前記供給可能な電流の量を増やす、ことを特徴とする請求項１に記載の電子機器。
【請求項３】
前記制御回路は、プリンターの印刷動作を制御し、紙送りとヘッド移動との両方を同時に実行することになる処理の開始の指示に応じたタイミングで前記動作信号を送信し、
前記電源回路は、受信した前記動作信号に応じて前記スイッチング回路の発信周波数を高めて前記供給可能な電流の量を増やす、ことを特徴とする請求項１に記載の電子機器。
【請求項４】
前記制御回路は、動作を開始させる前に前記スイッチング回路の発信周波数を高めるための第１動作信号を送信し、動作を終了させる以後に前記スイッチング回路の発信周波数を下げるための第２動作信号を送信し、
前記第１動作信号の送信と動作開始との間の時間は、動作終了と前記第２動作信号の送信との間の時間よりも長い、ことを特徴とする請求項１から請求項３のいずれか一項に記載の電子機器。
【発明の詳細な説明】
【技術分野】
【０００１】
本発明は、スイッチング回路の発振により負荷回路に電流を流す電源回路を備える電子機器に関する。
【背景技術】
【０００２】
電子機器は、所定の動作を行う負荷回路と、この負荷回路に対して電流を流す電源回路とを備える。電源回路の一種にトランジスタやＦＥＴといった半導体のスイッチ動作により、トランスの２次側に安定化された電源を発生させるスイッチング電源が存在する。スイッチング電源では、半導体を所定の発信周波数で駆動させて、トランスから負荷回路に供給する電源（電気）を取り出す（例えば、特許文献１参照）。
【０００３】
電源回路は、負荷回路に供給する電力をもとにその仕様が決められる。電源回路の仕様では、負荷回路が必要とする最大の電力が安定的に供給されることを考慮し設計する必要がある。例えば、負荷回路が必要な電流（最大電流）に応じてスイッチング回路の発信周波数や、トランスの容量を決定している。
【先行技術文献】
【特許文献】
【０００４】
【特許文献１】特開２０１３−２４０１９９号公報
【発明の概要】
【発明が解決しようとする課題】
【０００５】
電源回路は、電源容量の大きさに応じてトランスのサイズが決定されるため、最大電流が大きいとトランスのサイズが大きくなる。トランスのサイズは、製品サイズや製品重量に影響するため、トランスを小さくすることが望ましい。
【０００６】
本発明は、上記課題にかんがみてなされたもので、トランスの容量を小さくした場合でも、負荷回路に安定的に電気を供給できる電子機器の提供を目的とする。
【課題を解決するための手段】
【０００７】
本発明の一態様では、スイッチング回路を発振させてトランスに電気を発生させる電源回路と、前記電源回路から供給された電気で行う動作を制御する制御回路と、を備えた電子機器に関するものである。スイッチング回路は、トランスと別々の回路であってもよいし、トランスと一体となった回路であってもよい。
制御回路は、動作に応じた動作信号を電源回路に送信し、電源回路は受信した動作信号に応じてスイッチング回路の発信周波数を変更して制御回路に供給可能な電流の量を変更する。
動作とは電源回路から供給された電気を用いて電子機器が実行する処理であり、電気を用いるものであればどのようなものであってもよい。
動作に応じた動作信号とは、制御回路による動作が開始されるタイミングに前後して動作信号を電源回路に送信するという意味である。
【０００８】
電源回路が供給する電流の量は、トランスの容量と発振周波数により決定される。上記のように構成された発明では、電源回路は制御回路の動作に応じて発振周波数を変更することができる。そのため、トランスの容量を小さくした場合でも、発振周波数を高くすることで動作に必要な電流を制御回路に供給することができる。また、トランスの容量を小さくするとトランスのサイズを小さくすることができるため、電源回路しいては製品のサイズを小さく、かつ軽量化することが可能となる。
【図面の簡単な説明】
【０００９】
【図１】一例としての電子機器の構成を説明するブロック図。
【図２】一例としての電源基板１０の一部構成を示す回路図。
【図３】設定端子ＯＤに生じる電圧値と、ドライブ信号の周波数との関係を説明する図。
【図４】プリンター１００の消費電力の推移を示す図。
【図５】電源基板１０から制御基板６０へ電力を供給する際の、周波数設定部６２の機能を説明する図。
【図６】第２の実施形態における、設定端子ＯＤに生じる電圧値と、ドライブ信号の周波数との関係を説明する図。
【図７】第２の実施形態において、電源基板１０から制御基板６０へ電力を供給する際の、周波数設定部６２の機能を説明する図。
【発明を実施するための形態】
【００１０】
以下、下記の順序に従って本発明の実施形態を説明する。
１．第１の実施形態：
（１）電子機器の構成
（２）電源供給方法
２．第２の実施形態：
３．その他の実施形態：
【００１１】
１．第１の実施形態：
（１）電子機器の構成
図１は、一例としての電子機器の構成を説明するブロック図である。
図１では、電子機器の一例としてプリンター示している。図１に示す、プリンター１００は、印刷ヘッド７１を主走査方向に往復移動させつつ、用紙に対してインクを吐出するシリアル方式のプリンター１００である。プリンター１００は、電源回路として機能する電源基板１０と、制御回路として機能する制御基板６０と、この制御基板６０に接続され、動作を制御されるヘッドユニット７０、紙送り機構８０とを備えている。
【００１２】
電源基板１０は、スイッチング方式の電源回路であり、プラグ２００を介して入力した交流（ＡＣ）電源から安定化された直流（ＤＣ）電源を生成する。電源基板１０は、整流回路２０と、トランス３０と、スイッチング回路４０と、発振制御回路５０と、を備えている。電源基板１０は、他励式の電源回路であり、スイッチング回路３０の発振周波数を発振制御回路３０によって制御できるようになっている。
【００１３】
電源基板１０では、プラグ２００を介して入力されたＡＣ電源は整流回路２０により整流される。整流回路２０は、例えば、ダイオードブリッジ回路であり、ＡＣ電源を整流して、ＤＣ電源を発生させる。整流回路２０の出力側には、トランス３０の一次側に接続されている。整流回路２０とトランス３０の一次側との電気的な接続は、スイッチング回路３０により制御されており、スイッチング回路３０の発振周波数に応じて、トランス３０の２次側に流れる電流量が決定される。発振制御回路５０は、電源基板１０の駆動を制御するとともに、スイッチング回路３０を所定の発振周波数で駆動させるためのドライブ信号をスイッチング回路３０に出力する。
【００１４】
図２は、一例としての電源基板１０の一部構成を示す回路図である。図２では、便宜上、整流回路２０を省略している。
整流回路２０により直流化された電源（電気）は、入力ラインL１を通じてトランス３０の１次側コイル３１に流れる。トランス３０の１次側コイル３１に電流が流れることで、２次側コイル３２に、１次側コイル３１と２次側コイル３２の巻き線比に応じた電流が発生する。２次側コイル３２には、発振制御回路５０にフィードバック信号を出力するフィードバック回路２４、２次側コイル３２により取り出された電流を制御基板６０に供給する端子２５と、が接続されている。また、トランス３０の帰還コイル３３からはトランス３０に流れる電流を検出するための検出電流が取り出される。
【００１５】
スイッチング回路４０は、トランス３０の１次側コイル３１と入力ラインＬ１との導通を切り替えるＦＥＴ４１を備える。図２では、ＦＥＴ４１は、トランス３０の１次側コイル３１とドレインで接続され、ドレイン接地回路を構成している。ＦＥＴ４１のゲートは、抵抗４２を介して、発振制御回路５０（後述する発振制御ＩＣ５１）に接続されている。
【００１６】
発振制御回路５０は、スイッチング回路４０の発振を制御する発振制御ＩＣ５１を備えている。発振制御回路５０は、ドライブ端子ＤＲＶがＦＥＴ４１のゲートに接続されており、ドライブ端子ＤＲＶから出力されるドライブ信号によりＦＥＴ４１のオン・オフを切り替え、スイッチング回路４０の発振周波数を制御する。また、発振制御ＩＣ５１は、起動電流を取り出す起動端子ＨＶが入力ラインＬ１に接続され、入力ラインＬ１に整流回路２０からの直流電源が生じると、起動を開始するようになっている。また、発振制御ＩＣ５１は、ドライブ端子ＤＲＶから出力されるドライブ信号の出力を制御するために、電流検出端子ＶＣＣ、ラッチ端子Ｌａｔｃ、フィードバック端子ＦＢ、チップセレクト端子ＣＳを備えている。なお、電源検出端子ＶＣＣ、ラッチ端子Ｌａｔｃ、フィードバック端子ＦＢ、チップセレクト端子ＣＳは、本発明と直接関係にないため、説明を省略する。
【００１７】
さらに、発振制御ＩＣ５１は、ドライブ端子ＤＲＶから出力されるドライブ信号の周波数を可変するための設定端子ＯＤを備えている。発振制御ＩＣ５１は、設定端子ＯＤに発生する電圧に応じてドライブ端子ＤＲＶから出力するドライブ信号の周波数を変化させる。図２では、設定端子ＯＤは、制御ラインＬ２を介して制御基板６０に接続されており、制御基板６０からの制御信号（周波数可変信号）により、電圧が変更できるようになっている。ドライブ信号の周波数は、スイッチング回路４０の発振周波数を決定するため、設定端子ＯＤによりスイッチング回路４０の発振周波数を制御することが可能となる。
【００１８】
図３は、設定端子ＯＤに生じる電圧値と、ドライブ信号の周波数との関係を説明する図である。この第１の実施形態では、図３に示すように発振制御ＩＣ５１は、設定端子ＯＤの電圧値に応じて、ドライブ信号の周波数を２段階（Ｌｏｗ、Ｈｉ）に変更できるようになっている。
設定端子ＯＤ電圧値がＶ１未満である場合、発振制御ＩＣ５１は、ドライブ信号の周波数をＦ１とする。スイッチング回路４０の発振周波数がＦ１となることで、トランス３０の２次側コイル３２には、Ｌｏｗレベルの出力電流が流れる。
周波数可変信号の電圧値がＶ１以上である場合、発振制御ＩＣ５１は、ドライブ信号の周波数をＦ２とする。ここで、周波数Ｆ２は周波数Ｆ１と比べて高い値であり、例えば、Ｆ２はＦ１の倍数となっている。スイッチング回路４０の発振周波数がＦ２となることで、トランス３０の２次側コイル３２には、Ｈｉレベルの出力電流が流れる。
【００１９】
図１に戻り、制御基板６０は、電源基板１０から供給される電気（電源）をもとに、ヘッドユニット７０や、紙送り機構８０の駆動を制御する。
図１に示す制御基板６０は、プリンター１００の駆動を統合的に制御するＳＯＣ（System On the Chip）６１と、ＰＣ等の外部機器から供給される印刷用データをＳＯＣ６１に入力する入力ＩＦ６２とを備えている。ＳＯＣ６１は、ＣＰＵ、ＲＯＭ、ＲＡＭを備えており、ＣＰＵがＲＯＭに記録されたプログラムをＲＡＭに展開して実行することで、所定の機能を実行する。図１では、ＳＯＣ６１の機能を、印刷制御部６３、発振周波数設定部６４、として示している。
【００２０】
印刷制御部６３は、入力ＩＦ６２を通じて制御基板６０に入力した印刷用データを、もとに印刷処理を制御する。印刷制御部６３が行う印刷処理では、ヘッドユニット７０と紙送り機構８０とをそれぞれ動作させて、用紙に画像を形成する。
【００２１】
印刷制御部６３により制御されるヘッドユニット７０は、インク等の記録材を吐出する印刷ヘッド７１と、この印刷ヘッド７１が搭載されたキャリッジ７２と、キャリッジ７２を主走査方向に駆動させるキャリッジモーター７３と、を備えている。キャリッジ７２には、図示しないカートリッジ等の供給部が接続されており、印刷ヘッド７１はこの供給部から供給される各色（例えば、シアン、マゼンダ、イエロー、ブラック）の記録材をノズルから吐出する。印刷ヘッドは、例えば、圧電素子の駆動によりインクを吐出するピエゾ方式や、ヒーターの発熱によりインクを吐出するバブル方式である。キャリッジモーター７３は、ＤＣモーターやステッピングモーターである。
【００２２】
紙送り機構８０は、用紙を搬送する搬送部８１と、搬送部８１を駆動させる搬送モーター８２と、を備えている。紙送り機構８０では、図示しないトレイやカセットにセットされている用紙をプリンター１００内部の搬送経路に沿って搬送する。搬送部８１は、用紙を搬送するための搬送ローラーや搬送ベルトである。搬送モーターは、ＤＣモーターや、ステッピングモーターである。
【００２３】
発振周波数設定部６４は、プリンター１００内部での消費電力が一時的に大きくなる期間において、電源基板１０の発振周波数を増加させることで、制御基板６０に流れる出力電流を確保する。なお、プリンター１００内部での消費電力が元に戻る（小さくなる）と、電源基板１０の発振周波数を元に戻す（減少させる）。プリンター１００が備える発振周波数設定部６４の機能を説明する。図４は、プリンター１００の消費電力の推移を示す図である。図４では、縦軸を消費電力（Ｗ）とし、横軸を時間ｔとしている。また、図４では、横軸の時間ｔにおいて、ヘッドユニット７０（キャリッジモーターの駆動）が駆動する期間（ヘッド送り）と、紙送り機構８０（搬送モーター８２）が駆動する期間（紙送り）とを矢印によりそれぞれ示している。
【００２４】
プリンター１００による印刷処理では、搬送モーター８２と、キャリッジモーター７３とを駆動するため、プリンター１００内部で消費する電力が印刷処理を実行しない期間と比べて高くなる。印刷処理では、紙送り機構８０による紙送りと、ヘッドユニット７０による主走査方向でのヘッド送りとが行われる。また、ある期間（図４では、期間Ｔｐｓ）では、紙送り機構８０（搬送モーター８２）の駆動と、ヘッドユニット７０（キャリッジモーター７１）が同時に駆動する期間が存在する。紙送り機構８０の駆動と、ヘッドユニット７０とが同時に駆動する期間Ｔｐｓでは、搬送モーター８２とキャリッジモーター７３とを同時に駆動するため、プリンター１００内部での消費電力が最も高くなる（図４では、６０Ｗ）。
【００２５】
電源基板１０から供給される電流量を制御するために、発振周波数設定部６４は、電源基板１０に発振周波数を可変するための周波数変更信号を流す。ＳＯＣ６１は、制御ラインＬ２を通じて、電源基板１０の発振制御ＩＣ５１の設定端子ＯＤに接続されており、設定端子ＯＤに対して周波数変更信号を流すことができる。発振周波数設定部６４は、周波数可変信号のデユーティＤを変化することで、設定端子ＯＤに生じる電圧値を変化することができる。
【００２６】
（２）電源供給方法
次に、電源基板１０から制御基板６０への電源供給を説明する。図５は、電源基板１０から制御基板６０へ電力を供給する際の、周波数設定部６２の機能を説明する図である。図５では、横軸は時間の変化を示している。
図５（ａ）は、印刷処理が行われるタイミングを示している。図５（ｂ）は、周波数変更信号が制御ラインＬ２に流れるタイミングを示している。図５（ｃ）は、発振制御ＩＣ５１のドライブ端子ＤＲＶから流れるドライブ信号のデューティ変化を示している。図５（ｄ）は、トランス３０の二次側コイル３２に流れる出力電流の変化を示している。
【００２７】
図５（ａ）に示すように、印刷処理が実行されない期間Ｔｎでは、図５（ｂ）に示すように、発振周波数設定部６４は制御ラインＬ２に周波数変更信号を流さない。そのため、電源基板１０の発振制御ＩＣ５１の設定端子ＯＤはローレベルに維持されており、図５（ｃ）に示すように、ドライブ端子ＤＲＶからは周波数Ｆ１（Ｌｏｗ）のドライブ信号が流れている。図５（ｄ）に示すように、スイッチング回路４０はドライブ信号の周波数Ｆ１に応じてＦＥＴ４１が発振数Ｆ１で発振し、トランス３０の２次側コイル３２に出力電流を発生させる。
【００２８】
時刻Ｔｓｔａにおいて、入力ＩＦ６２を通じて印刷用データが制御基板６０に入力すると、図５（ｂ）に示すように、発振周波数設定部６４は制御ラインＬ２に周波数変更信号を流し、発振制御ＩＣ５１の設定端子ＯＤをハイレベルに変化させる。その後、図５（ａ）に示すように、期間Ｔｗ１後に、印刷制御部６３は印刷処理を開始する。印刷制御部６３による印刷処理は、期間Ｔｐの間継続される。この期間Ｔｐにおいて、印刷制御部６３は、ヘッドユニット７０と紙送り機構８０とを駆動させて、用紙に画像を形成する。
また、発振周波数設定部６４が周波数変更信号を制御ラインＬ２に流してから期間Ｔｗ１後に印刷制御部６３が印刷処理を開始するのは、電源基板１０における出力電流の変化を安定化させるためである。期間Ｔｗ１は電源基板１０における出力電流の変化が安定化するのであればどのような長さであってもよいが、この第１の実施形態では、例えば、３ミリ秒（ｍｓ）ほどとしている。
【００２９】
電源基板１０の発振制御ＩＣ５１の設定端子ＯＤがハイレベルに変化することで、ドライブ端子ＤＲＶからは周波数Ｆ２のドライブ信号が流れる（図５（ｃ））。図３に示すように周波数Ｆ２は周波数Ｆ１と比べて大きい値を示す。スイッチング回路４０はドライブ信号の周波数Ｆ２に応じてＦＥＴ４１が発振周波数Ｆ２で発振し、トランス３０の２次側コイル３２に出力電流（Ｈｉ）を発生させる。ＦＥＴ４１の発振周波数がＦ１からＦ２に増加することで、スイッチング回路４０がトランス３０を導通する期間が長くなり、二次側コイル３２に流れる電流量を増加させる。
【００３０】
図５（ａ）に示すように時刻Ｔｅｎｄにおいて、印刷制御部６３による印刷処理が終了すると、発振周波数設定部６４は期間Ｔｗ２後に、周波数変更信号を停止し、発振制御ＩＣ５１の設定端子ＯＤをローレベルに変化させる。ここで、期間Ｔｗ２は期間Ｔｗ１と比べて短い時間である１ミリ秒としており、Ｔｗ２が０ミリ秒（すなわち、印刷処理の終了と同時）であってもよい。
電源基板１０の発振制御ＩＣ５１の設定端子ＯＤがローレベルに変化することで、ドライブ端子ＤＲＶからは周波数Ｆ１のドライブ信号が流れる。
スイッチング回路４０はドライブ信号の周波数Ｆ１に応じてＦＥＴ４１の発振周波数がＦ１に戻る。発振周波数がＦ１に元に戻ることで、スイッチング回路４０がトランス３０を導通する期間が短くなり、二次側コイル３２に流れる電流量が基準値となる。また、これによって、スイッチング回路４０でのエネルギー効率が高まり、エネルギー消費を減らすことができる。
【００３１】
以上説明したようにこの第１の実施形態では、電源基板１０は制御基板６０による電子機器１００の動作に応じて発振周波数を変更することができる。そのため、トランス３０の容量を小さくした場合でも、発振周波数を高くすることで電子機器１００の動作に必要な電流を制御基板６０に供給することができる。また、トランス３０の容量を小さくするとトランス３０のサイズを小さくすることができるため、電源基板１０しいては製品のサイズを小さく、かつ軽量化することが可能となる。
【００３２】
２．第２の実施形態：
スイッチング回路４０の発振周波数は２段階に変更するものに限定されず、３段階以上であってもよい。
図６は、第２の実施形態における、設定端子ＯＤに生じる電圧値と、ドライブ信号の周波数との関係を説明する図である。この第２の実施形態では、図６に示すように発振制御ＩＣ５１は、設定端子ＯＤの電圧値に応じて、ドライブ信号の周波数を３段階（Ｌｏｗ、Ｍｉｄｄｌｅ、Ｈｉ）に変更できるようになっている。ここで、電圧値はＶ２、Ｖ３の順序で大きくなる。
【００３３】
設定端子ＯＤ電圧値がＶ２未満である場合、発振制御ＩＣ５１は、ドライブ端子ＤＲＶから周波数Ｆ１のドライブ信号を出力する。スイッチング回路４０の発振周波数がＦ１となることで、トランス３０の２次側コイル３２には、Ｌｏｗレベルの出力電流が流れる。
設定端子ＯＤ電圧値がＶ２以上、Ｖ３未満である場合、発振制御ＩＣ５１は、ドライブ端子ＤＲＶから周波数Ｆ２のドライブ信号を出力する。スイッチング回路４０の発振周波数がＦ２となることで、トランス３０の２次側コイル３２には、Ｍｉｄｄｌｅレベルの出力電流が流れる。
周波数可変信号の電圧値がＶ３以上である場合、発振制御ＩＣ５１は、ドライブ端子ＤＲＶから周波数Ｆ３のドライブ信号を出力する。スイッチング回路４０の発振周波数がＦ３となることで、トランス３０の２次側コイル３２には、Ｈｉレベルの出力電流が流れる。
【００３４】
次に、第２の実施形態において、電源基板１０から制御基板６０への電源供給を説明する。図７は、第２の実施形態において、電源基板１０から制御基板６０へ電力を供給する際の、周波数設定部６２の機能を説明する図である。図７では、横軸は時間の変化を示している。
図７（ａ）は、印刷処理が行われるタイミングを示している。図７（ｂ）は、周波数変更信号が制御ラインＬ２に流れるタイミングを示している。図７（ｃ）は、発振制御ＩＣ５１のドライブ端子ＤＲＶから流れるドライブ信号の周波数の変化を示している。図７（ｄ）は、トランス３０の二次側コイル３２に流れる出力電流の変化を示している。
【００３５】
図７に示す電源供給では、印刷処理が実行されない期間Ｔｎと印刷処理が実行される期間Ｔｐとで出力電流のレベルを変化させている。加えて、印刷処理が実行される期間Ｔｐにおいて、紙送りとヘッド送りとが重ならない期間（Ｔｐｐ、Ｔｐｃ）と、紙送りとヘッド送りとが同時に行われる期間Ｔｐｓとで、出力電流のレベル（Ｍｉｄｄｌｅ、Ｈｉ）を変化させている。ここで、Ｔｐｐは、紙送りのみが単体で行われる期間を示す。実際の紙送りの期間は、ＴｐｐとＴｐｓとの和である。Ｔｐｃは、ヘッド送りのみが単体で行われる期間を示す。実際のヘッド送りの期間は、ＴＰｃとＴｐｓの和である。
【００３６】
まず、図７（ａ）に示すように、印刷処理が実行されない期間Ｔｎでは、発振周波数設定部６４は制御ラインＬ２に周波数変更信号を流さない。電源基板１０の発振制御ＩＣ５１の設定端子ＯＤはＶ２以下に維持されており、図７（ｃ）に示すように、ドライブ端子ＤＲＶからは周波数Ｆ１のドライブ信号が流れている。スイッチング回路４０はドライブ信号の周波数Ｆ１に応じてＦＥＴ４１が発振周波数Ｆ１で発振し、図７（ｄ）に示すように、トランス３０の２次側コイル３２にＬｏｗレベルの出力電流を発生させる。
【００３７】
図７（ａ）の時刻Ｔｓｔａにおいて、入力ＩＦ６２を通じて印刷用データが制御基板６０に入力すると、図７（ｂ）に示すように、発振周波数設定部６４は制御ラインＬ２に周波数変更信号を流す。このとき流される周波数変更信号のデューティＤは、発振制御ＩＣ５１の設定端子ＯＤをＶ２以上かつＶ３未満に変化させる。
図７（ｃ）に示すように、電源基板１０の発振制御ＩＣ５１の設定端子ＯＤがＶ２以上Ｖ３未満に変化することで、ドライブ端子ＤＲＶからは周波数Ｆ２のドライブ信号が流れる。スイッチング回路４０はドライブ信号の周波数Ｆ２に応じてＦＥＴ４１が発振周波数Ｆ２で発振し、トランス３０の２次側コイル３２にＭｉｄｄｌｅレベルの出力電流を発生させる。
【００３８】
その後、期間Ｔｗ１後に、印刷制御部６３は印刷処理を開始する。
まず、図７（ａ）に示すように、印刷制御部６３は、紙送り機構８０（搬送モーター）を駆動させて、搬送処理を開始する（Ｔｐｐ）。搬送処理のみが行われる期間Ｔｐｐでは、図７（ｄ）に示すように、トランス３０の出力電流はＭｉｄｄｌｅレベルを維持している。この第２の実施形態においても、制御基板６０が必要な電力を供給するために、制御基板６０の動作に対して期間Ｔｗ１だけ前に発振周波数を変化させている。なお、この第２の実施形態では、動作の終了後とともに発振周波数を変化させるため、期間Ｔｗ１は設けられていない。
【００３９】
時刻Ｔｃ１の経過とともに発振周波数設定部６４は制御ラインＬ２に周波数変更信号のデューティＤを変化させる。ここで、時刻Ｔｃ１は、紙送り処理とキャリッジの移動とが重なる期間Ｔｐｓの開始と比べて期間Ｔｗ１だけ前の時刻である。また、周波数変更信号のデューティＤは、発振制御ＩＣ５１の設定端子ＯＤをＶ３以上に変化させる値である。電源基板１０の発振制御ＩＣ５１の設定端子ＯＤがＶ３以上に変化することで、ドライブ端子ＤＲＶからは周波数Ｆ３のドライブ信号が流れる。スイッチング回路４０はドライブ信号の周波数Ｆ３に応じてＦＥＴ４１が発振周波数Ｆ３で発振し、トランス３０の２次側コイル３２にＨｉレベルの出力電流を発生させる。
搬送処理とキャリッジの移動とが同時に行われる期間Ｔｐｓでは、図７（ｄ）に示すように、トランス３０の出力電流はＨｉレベルを維持している。
【００４０】
そして、期間Ｔｐｓの経過後に、発振周波数設定部６４は制御ラインＬ２に流す周波数変更信号のデューティＤを変化させる。周波数変更信号のデューティＤは、発振制御ＩＣ５１の設定端子ＯＤをＶ２以上Ｖ３未満に変化させる。そのため、図７（ｄ）に示すように、トランス３０の出力電流はＭｉｄｄｌｅレベルに変化する。
キャリッジの移動のみが行われる期間Ｔｐｃでは、図７（ｄ）に示すように、トランス３０の出力電流はＭｉｄｄｌレベルを維持している。
【００４１】
そして、時刻Ｔｃ１が経過すると、発振周波数設定部６４は制御ラインＬ２に周波数変更信号のデューティＤを変化させて、設定端子ＯＤの電圧をＶ３以上に変化させる。電源基板１０の発振制御ＩＣ５１の設定端子ＯＤがＶ３以上に変化することで、ドライブ端子ＤＲＶからは周波数Ｆ３のドライブ信号が流れる。スイッチング回路４０はドライブ信号の周波数Ｆ３に応じてＦＥＴ４１が発振周波数Ｆ３で発振し、トランス３０にＨｉレベルの出力電流を発生させる。
【００４２】
以下、印刷制御部６３による印刷処理が行われる期間Ｔｐにおいて、発振周波数設定部６４は、トランス３０の出力電流をＭｉｄｄｌｅレベルとＨｉレベルとの間で変化させる。
【００４３】
そして、時刻Ｔｅｎｄ（不図示）において、印刷制御部６３による印刷処理が終了すると、発振周波数設定部６４は期間Ｔｗ２後に、周波数変更信号を停止し、発振制御ＩＣ５１の設定端子ＯＤをローレベルに変化させる。
電源基板１０の発振制御ＩＣ５１の設定端子ＯＤがローレベルに変化することで、ドライブ端子ＤＲＶからは周波数Ｆ１のドライブ信号が流れる。スイッチング回路４０はドライブ信号の周波数Ｆ１に応じてＦＥＴ４１の発振周波数がＦ１に戻る。発振周波数がＦ１に元に戻ることで、スイッチング回路４０がトランス３０を導通する期間が期間Ｔｐと比べて短くなり、二次側コイル３２に流れる電流量がＬｏｗレベルになる。
【００４４】
以上説明したように、この第２の実施形態では、第１の実施形態で示す効果に加えて以下の効果を奏する。
すなわち、電力用に応じて制御基板６０に供給する電流を多段階に変更することができ、制御基板６０に必要な電力量の設定と、トランス３０の容量の設定とをよりバランスよく行うことが可能となる。
【００４５】
３．その他の実施形態：
電子機器としてプリンターを例に説明したことは一例に過ぎない。電子機器は、ＰＣ等の表示装置、スキャナー等の読み取り装置、であってもよい。
電源基板の発振周波数の変化量を２段階や３段階とすることは一例であり、４段階以上であってもよい。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４７】
１０…電源基板、２０…整流回路、３０…トランス、４０…スイッチング回路、５０…発振制御回路、６０…制御基板、６３…印刷制御部、６４…発振周波数設定部、７０…ヘッドユニット、８０…紙送り機構
【図１】
2016036204.tif 000003
【図２】
2016036204.tif 000004
【図３】
2016036204.tif 000005
【図４】
2016036204.tif 000006
【図５】
2016036204.tif 000007
【図６】
2016036204.tif 000008
【図７】
2016036204.tif 000009